(57)【要約】【課題】既存の文書の中から、所期の内容についての有用な文書を検索する。【解決手段】電子文書検索装置１０は、電子文書を編集し、電子文書が編集されている間にアクセスした他の電子文書からキーワードを抽出し、編集される電子文書と、抽出されたキーワードとをそれぞれ関連づけて記憶し、記憶された電子文書の中から所与の検索条件に基づいて電子文書を検索する際に、電子文書毎に関連づけて記憶されたキーワードを利用する。【選択図】図２
2009223679.tif 000002
【特許請求の範囲】
【請求項１】
電子文書を編集する編集手段と、
前記編集手段により電子文書が編集されている間にアクセスした他の電子文書からキーワードを抽出する抽出手段と、
前記編集手段により編集される電子文書と、前記抽出手段により抽出されたキーワードとをそれぞれ関連づけて記憶する記憶手段と、
前記記憶手段に記憶された電子文書の中から所与の検索条件に基づいて電子文書を検索する検索手段であって、前記電子文書毎に関連づけて記憶されたキーワードを利用して前記検索を行う検索手段と、を含む、
ことを特徴とする電子文書検索装置。
【請求項２】
前記検索手段により検索された電子文書をその検索順位に従って表示する表示手段をさらに含む、
ことを特徴とする請求項１に記載の電子文書検索装置。
【請求項３】
前記抽出手段により抽出されたキーワード毎に重みを設定する設定手段と、
前記検索手段は、前記検索される各電子文書の検索順位を、当該各電子文書に関連づけて記憶されるキーワードの重みに従って決定する、
ことを特徴とする請求項２に記載の電子文書検索装置。
【請求項４】
前記編集手段により編集される電子文書は商談に関する電子文書であって、当該商談の進捗情報を含み、
前記検索手段は、前記検索手段により検索された各電子文書の検索順位を、当該各電子文書に含まれる進捗情報を利用して決定する、
ことを特徴とする請求項２又は３に記載の電子文書検索装置。
【請求項５】
前記設定手段は、前記記憶手段に記憶される電子文書の進捗情報が変化した前後でアクセスされた電子文書から抽出されたキーワードの重みを更新する、
ことを特徴とする請求項４に記載の電子文書検索装置。
【請求項６】
前記記憶手段に、前記編集手段により電子文書が編集されている間にアクセスした他の電子文書と、当該編集されている電子文書から抽出したキーワードとをそれぞれ関連づけて記憶する、
ことを特徴とする請求項１乃至４のいずれかに記載の電子文書検索装置。
【請求項７】
コンピュータを、
電子文書を編集する編集手段と、
前記編集手段により電子文書が編集されている間にアクセスした他の電子文書からキーワードを抽出する抽出手段と、
前記編集手段により編集される電子文書と、前記抽出手段により抽出されたキーワードとをそれぞれ関連づけて記憶する記憶手段と、
前記記憶手段に記憶された電子文書の中から検索条件に基づいて電子文書を検索する検索手段であって、前記電子文書毎に関連づけて記憶されたキーワードを利用して前記検索を行う検索手段と、
して機能させることを特徴とする電子文書検索プログラム。
【請求項８】
電子文書を編集する編集手段と、
前記編集手段により電子文書が編集されている間にアクセスした他の電子文書と、当該編集される電子文書から抽出されたキーワードとをそれぞれ関連づけて記憶する記憶手段と、
前記記憶手段に記憶された電子文書の中から所与の検索条件に基づいて電子文書を検索する検索手段であって、前記電子文書毎に関連づけて記憶されたキーワードを利用して前記検索を行う検索手段と、を含む、
ことを特徴とする電子文書検索装置。
【請求項９】
コンピュータを、
電子文書を編集する編集手段と、
前記編集手段により電子文書が編集されている間にアクセスした他の電子文書と、当該編集される電子文書から抽出されたキーワードとをそれぞれ関連づけて記憶する記憶手段と、
前記記憶手段に記憶された電子文書の中から所与の検索条件に基づいて電子文書を検索する検索手段であって、前記電子文書毎に関連づけて記憶されたキーワードを利用して前記検索を行う検索手段と、
して機能させることを特徴とする電子文書検索プログラム。
【発明の詳細な説明】
【技術分野】
【０００１】
本発明は、電子文書検索装置、及び電子文書検索プログラムに関する。
【背景技術】
【０００２】
進行中の商談に対して過去の商談案件の情報を利用することで営業活動を支援する営業支援システムがある。かかる営業活動支援システムでは一般的に、商談で扱う商品や金額、顧客の業種などあらかじめ設定された項目を検索キーにして類似案件に関する文書を検索するものである。
【０００３】
例えば、下記の特許文献１には、活動報告（営業日報）テキストを検索キーとして、過去の活動報告テキストを類似検索することにより、類似商談を見つける装置が提案されている。
【特許文献１】特開２００７−２２６６７７号公報
【発明の開示】
【発明が解決しようとする課題】
【０００４】
しかしながら、文書を作成する場合には多様なドキュメントを検索・参照して作成する場合が多いが、後でその文書の作成の際に参照したドキュメントを検索することは困難である。例えば、営業活動の報告書（営業日報）等の文書は人手により作成されるため、入力されるテキストの分量が少ないこともあり、また、関連する全ての情報が入力される訳ではないため、作成されたドキュメントの内容に基づいて過去の類似案件の文書を検索しても、現在の案件に有用なドキュメントが検索できないことがあった。また、営業活動で活用される提案書、商品情報・事例等の各種ドキュメントは膨大に存在するため、単なるテキスト検索によってだけでは現在の商談に有用なドキュメントを精度良く検索することは困難であった。
【０００５】
本発明は上記課題に鑑みてなされたものであって、本発明の目的の一つは、既存の電子文書の中から所期の内容について有用な電子文書が検索されやすくすることができる電子文書検索装置、及び電子文書検索プログラムを提供することにある。
【課題を解決するための手段】
【０００６】
上記目的を達成するために、請求項１に記載の電子文書検索装置の発明は、電子文書を編集する編集手段と、前記編集手段により電子文書が編集されている間にアクセスした他の電子文書からキーワードを抽出する抽出手段と、前記編集手段により編集される電子文書と、前記抽出手段により抽出されたキーワードとをそれぞれ関連づけて記憶する記憶手段と、前記記憶手段に記憶された電子文書の中から所与の検索条件に基づいて電子文書を検索する検索手段であって、前記電子文書毎に関連づけて記憶されたキーワードを利用して前記検索を行う検索手段と、を含む、ことを特徴とする。
【０００７】
また、請求項２に記載の発明は、請求項１に記載の電子文書検索装置において、前記検索手段により検索された電子文書をその検索順位に従って表示する表示手段をさらに含む、ことを特徴とする。
【０００８】
また、請求項３に記載の発明は、請求項２に記載の電子文書検索装置において、前記抽出手段により抽出されたキーワード毎に重みを設定する設定手段と、前記検索手段は、前記検索される各電子文書の検索順位を、当該各電子文書に関連づけて記憶されるキーワードの重みに従って決定する、ことを特徴とする。
【０００９】
また、請求項４に記載の発明は、請求項２又は３に記載の電子文書検索装置において、前記編集手段により編集される電子文書は商談に関する電子文書であって、当該商談の進捗情報を含み、前記検索手段は、前記検索手段により検索された各電子文書の検索順位を、当該各電子文書に含まれる進捗情報を利用して決定する、ことを特徴とする。
【００１０】
また、請求項５に記載の発明は、請求項４に記載の電子文書検索装置において、前記設定手段は、前記記憶手段に記憶される電子文書の進捗情報が変化した前後でアクセスされた電子文書から抽出されたキーワードの重みを更新する、ことを特徴とする。
【００１１】
また、請求項６に記載の発明は、請求項１乃至４のいずれかに記載の電子文書検索装置において、前記記憶手段に、前記編集手段により電子文書が編集されている間にアクセスした他の電子文書と、当該編集されている電子文書から抽出したキーワードとをそれぞれ関連づけて記憶する、ことを特徴とする。
【００１２】
また、請求項７に記載の電子文書検索プログラムの発明は、コンピュータを、電子文書を編集する編集手段と、前記編集手段により電子文書が編集されている間にアクセスした他の電子文書からキーワードを抽出する抽出手段と、前記編集手段により編集される電子文書と、前記抽出手段により抽出されたキーワードとをそれぞれ関連づけて記憶する記憶手段と、前記記憶手段に記憶された電子文書の中から検索条件に基づいて電子文書を検索する検索手段であって、前記電子文書毎に関連づけて記憶されたキーワードを利用して前記検索を行う検索手段と、して機能させることを特徴とする。
【００１３】
また、請求項８に記載の電子文書検索装置の発明は、電子文書を編集する編集手段と、前記編集手段により電子文書が編集されている間にアクセスした他の電子文書と、当該編集される電子文書から抽出されたキーワードとをそれぞれ関連づけて記憶する記憶手段と、前記記憶手段に記憶された電子文書の中から所与の検索条件に基づいて電子文書を検索する検索手段であって、前記電子文書毎に関連づけて記憶されたキーワードを利用して前記検索を行う検索手段と、を含む、ことを特徴とする。
【００１４】
また、請求項９に記載の電子文書検索プログラムの発明は、コンピュータを、電子文書を編集する編集手段と、前記編集手段により電子文書が編集されている間にアクセスした他の電子文書と、当該編集される電子文書から抽出されたキーワードとをそれぞれ関連づけて記憶する記憶手段と、前記記憶手段に記憶された電子文書の中から所与の検索条件に基づいて電子文書を検索する検索手段であって、前記電子文書毎に関連づけて記憶されたキーワードを利用して前記検索を行う検索手段と、して機能させることを特徴とする。
【発明の効果】
【００１５】
請求項１に記載の発明によれば、電子文書の編集時に参照した他の電子文書から抽出されたキーワードを、当該編集した電子文書に付与することで、その電子文書に特徴的なキーワードを関連づけ、既存の文書の中から所期の内容について有用な電子文書が検索されやすくすることができる。
【００１６】
請求項２に記載の発明によれば、検索された電子文書を検索順位に応じて並べて表示することで、所期の内容について有用な文書を見つけやすくすることができる。
【００１７】
請求項３に記載の発明によれば、抽出されたキーワードに重みを設定して、設定したキーワードの重みに応じて電子文書の検索順位を決定することで、より関連性の高いキーワードを含む電子文書が検索されやすくすることができる。
【００１８】
請求項４に記載の発明によれば、商談の進捗情報に応じて検索順位を決めることで、商談の進捗に応じて役立つ文書を検索されやすくすることができる。
【００１９】
請求項５に記載の発明によれば、商談案件の進捗情報の変化に着目して、電子文書から抽出されたキーワードの重みを変化させることができる。
【００２０】
請求項６に記載の発明によれば、電子文書の編集時にアクセスした他の電子文書に対して、当該編集した電子文書のキーワードを付与することで、それらの電子文書から所期の内容について有用な電子文書が検索されやすくすることができる。
【００２１】
請求項７に記載の発明によれば、電子文書の編集時に参照した他の電子文書から抽出されたキーワードを当該編集した電子文書に付与することで、電子文書に適切なキーワードを関連づけ、既存の文書の中から所期の内容について有用な文書が検索されやすくするようにコンピュータを機能させることができる。
【００２２】
請求項８に記載の発明によれば、電子文書の編集時に参照した他の電子文書に、当該編集した電子文書から抽出されたキーワードを付与することで、その電子文書に特徴的なキーワードを関連づけ、既存の文書の中から所期の内容について有用な文書が検索されやすくすることができる。
【００２３】
請求項９に記載の発明によれば、電子文書の編集時に参照した他の電子文書に、当該編集した電子文書から抽出されたキーワードを付与することで、電子文書に適切なキーワードを関連づけ、既存の文書の中から所期の内容について有用な文書が検索されやすくするようにコンピュータを機能させることができる。
【発明を実施するための最良の形態】
【００２４】
以下、本発明を実施するための好適な実施の形態（以下、実施形態という）を、図面に従って説明する。
【００２５】
本実施形態に係る電子文書検索装置は、商談案件に関する報告書を管理し、利用者に進行中の商談案件に有用なドキュメント（例えば、類似の商談案件に関する文書や参考文献等）を検索して提示することで営業活動を支援する装置である。なお、本実施形態では電子文書検索装置は、上記の関連文書の検索・提示機能と、利用者が操作するクライアントコンピュータとしての機能とを兼ねているが、各機能をそれぞれ別筐体に分けて構成することとしてもよい。
【００２６】
ここではまず、図１を参照しながら本発明で用いている基本的な考え方を説明した後に、本実施形態に係る電子文書検索装置の詳細について説明する。
【００２７】
本発明では、あるドキュメントについてそのドキュメントに明示的に含まれている情報のみならず、そのドキュメントを編集する際に参照したドキュメントを利用してそのドキュメントの特徴付けを行うこととしている。ここで図１を用いて具体的に説明すると、図１に示される報告書Ａは、ある商談に関する報告書（営業日報等）であるとし、ドキュメントａ，ｂ，ｃは報告書Ａを編集している間に参照されたドキュメントであるとする。本実施形態では、参照されたドキュメントａ，ｂ，ｃからキーワードを抽出し、抽出したキーワードを報告書Ａの文書検索用のインデックスとして付与する。そして、過去の商談案件について作成された報告書の中から現在の商談案件に類似した商談案件の報告書を検索する際には、各報告書の内容とともに各報告書について付与された文書検索用のインデックスを用いる。また、ドキュメントａ，ｂ，ｃに対しても報告書Ａから抽出されたキーワードを文書検索用のインデックスとして付与して、各ドキュメントを報告書の内容により特徴付ける。
【００２８】
このように、本実施形態では、商談案件の報告書と、当該報告書を編集する際に参照したドキュメントとの間に相互に関係付けを行い、ドキュメントの検索において、上記関係付けによって相互に意味づけられた文書検索用のインデックスを用いることにより、利用者が明示的に示した内容によらずとも実際の関連性の高い文書を検索することを可能とするものである。
【００２９】
以下、本実施形態に係る電子文書検索装置が備える具体的な構成について説明する。
【００３０】
図２に示される１０は本実施形態に係る電子文書検索装置１０であり、同図には電子文書検索装置１０の機能ブロック図が示される。図２に示されるように、電子文書検索装置１０は、入力部１２、電子文書編集部１４、通信部１６、参照文書記録部１８、記憶部２０、キーワード抽出部２２、文書情報生成部２４、キーワード重み更新部２６、検索部２８、及び表示部３０を含む。各部の機能は、コンピュータ読み取り可能な情報記憶媒体に格納された電子文書検索プログラムが、図示しない媒体読取装置を用いてコンピュータシステムたる電子文書検索装置１０に読み込まれ、該電子文書検索装置１０により実行されることで実現されるものとしてよい。なお、ここでは情報記憶媒体によってプログラムが電子文書検索装置１０に供給されることとしたが、インターネット等のデータ通信ネットワークを介して遠隔地から電子文書検索プログラムが電子文書検索装置１０にダウンロードされてもよい。
【００３１】
入力部１２は、マウスやキーボード等の入力デバイスと接続され、電子文書検索装置１０を利用する利用者からの操作入力を受け付ける。
【００３２】
電子文書編集部１４は、入力部１２により受け付けた利用者の操作入力に応じて、電子文書の編集を開始・終了するとともに、電子文書の内容たるテキスト編集を行う。電子文書編集部１４は、テキストエディタやワードプロセッサ等のアプリケーションプログラムにより実装されることとしてよい。
【００３３】
通信部１６は、ネットワークインターフェースを備え、ネットワーク４０に接続されたウェブサーバ５０等の情報処理装置とデータ通信を行う。電子文書検索装置１０は、通信部１６によりネットワークと接続して、電子文書編集部１４により電子文書（報告書）を編集中に、利用者の操作入力に応じてウェブページ等のドキュメントにアクセスする。
【００３４】
参照文書記録部１８は、電子文書編集部１４により電子文書が編集されている間に電子文書検索装置１０によりアクセスされた他の電子文書の情報を記録する。参照文書記録部１８は、利用者の入力に応じて電子文書編集部１４により報告書の新規作成が開始された時点から、その報告書を編集する際に参照したドキュメントの情報を記録する。そして、電子文書編集部１４による電子文書の作成が終了すると、参照文書記録部１８はその電子文書に関する参照情報の記録を終える。なお、参照文書記録部１８は、ウェブブラウザの拡張機能（プラグイン）により実装してもよいし、ウェブブラウザのアクセスログを取得したり、クライアントコンピュータのアプリケーションとしてウインドウの操作履歴を記録したり、また、ドキュメント管理システムやウェブサーバのアクセスログを記録したりする等多様な手法により実装可能である。
【００３５】
記憶部２０は、半導体メモリや磁気ディスク装置等の記憶装置を含み、データやプログラムを記憶する。記憶部２０に記憶されるプログラムには、電子文書検索装置１０を制御する制御プログラムの他、ワードプロセッサ等の各種のアプリケーションプログラムが含まれる。また、記憶部２０に記憶されるデータには、電子文書編集部１４により編集された電子文書のデータの他、参照文書記録部１８により記録された電子文書のデータ、及び電子文書を解析して得た各種のテーブルデータが含まれる。
【００３６】
キーワード抽出部２２は、対象の電子文書からキーワードを抽出する。キーワード抽出部２２は、電子文書編集部１４により編集された電子文書及び参照文書記録部１８により記録された電子文書の双方を対象としてそれぞれからキーワードを抽出することとしてよい。この際、参照文書記録部１８により記録された電子文書（参照文書）については、利用者により選択された電子文書についてのみキーワードの抽出対象としてもよい。
【００３７】
文書情報生成部２４は、電子文書編集部１４により編集された電子文書及び参照文書記録部１８により記録された電子文書に関する情報を生成する。文書情報生成部２４は、電子文書編集部１４により編集された電子文書については、例えば図３に示すようなテーブルデータ（以下、編集文書情報テーブル）を生成する。
【００３８】
図３に示されるように、編集文書情報テーブルは、電子文書編集部１４により編集された電子文書が商談報告書であるとすると、その電子文書を識別するＩＤに関連づけて、顧客名、担当者ＩＤ、訪問日、訪問コメント、商談ＩＤ、進捗度、参照文書インデックスの各情報を格納してなるレコードを１又は複数含み構成される。ここで、進捗度とは商談の進捗状態を示す情報であり予め定められた段階数の進捗状態を定めておくこととしてよい。また、参照文書インデックスとは、その商談報告書の編集時に参照されたウェブページ等の参照文書からキーワード抽出部２２により抽出されたキーワードからなる情報である。
【００３９】
また、文書情報生成部２４は、電子文書編集部１４による電子文書の編集時に参照された電子文書（参照文書）に関しては、図４に示されるようなテーブルデータ（以下、参照文書情報テーブル）を生成する。図４に示されるように、参照文書情報テーブルは、参照文書を識別する文書ＩＤに関連づけて、当該参照文書のタイトル、ＵＲＩ（Uniform Resource Identifier）、参照文書インデックス、編集文書インデックスの各情報を格納してなるレコードを１又は複数含み構成される。参照文書インデックスとは、当該参照文書から抽出されたキーワードからなる情報であり、編集文書インデックスとは、当該参照文書が参照された際に電子文書編集部１４により編集されていた電子文書から抽出されたキーワードからなる情報である。
【００４０】
また、各電子文書に付与されるキーワード（インデックス）には、それぞれ重みを関連づけて記憶することとしてもよい。例えば複数の電子文書から参照されて重複して付与されるキーワードについては、その重みを大きく（もしくは小さく）設定することとしてもよいし、新規に抽出されたキーワードの重みは大きく（もしくは小さく）設定することとしてもよい。また、編集文書インデックスには、編集文書に入力された訪問コメントの内容から抽出したキーワードを用いてもよいし、訪問コメント以外の情報（顧客情報、商談情報等）に基づいて特定したキーワードを用いることとしてもよい。なお、文書情報生成部２４により生成された編集文書情報テーブル及び参照文書情報テーブルはそれぞれ記憶部２０に記憶される。
【００４１】
キーワード重み更新部２６は、記憶部２０に記憶される編集文書情報テーブルと参照文書編集テーブルの更新に応じて、各テーブルの電子文書について登録されたキーワードの重みを更新する。キーワード重み更新部は、例えば編集文書情報テーブルについてある商談案件に関して進捗情報が更新された場合には、その進捗情報が更新された際に参照された電子文書から抽出されたキーワードについては重みを増加させるように更新することとしてよい。
【００４２】
以上が電子文書が編集される際に行われる電子文書検索のための事前処理に関する機能ブロックであり、続いて上記生成した情報に基づいて行われる電子文書の検索処理に関する機能ブロックについて説明する。
【００４３】
検索部２８は、利用者により指定された検索条件に基づいて、記憶部２０に記憶された編集文書情報テーブル及び参照文書情報テーブルの内容から関連する電子文書を検索する。具体的には、検索部２８は、入力部１２により入力された検索文字列に基づく検索クエリを生成して、当該検索クエリの条件に合致する電子文書を編集文書情報テーブル及び参照文書情報テーブルの中から検索する。検索クエリは、文字列の部分一致や完全一致による条件としてもよいし、そこに顧客名や進捗情報等の情報で絞り込む条件式を組み合わせることとしてもよい。そして、検索部２８は、検索条件に進捗情報が指定された場合には、その進捗情報に近い進捗情報を有する電子文書を検索結果の上位に位置づけることとしてよい。こうして、対象とする商談案件に有用なドキュメントをその内容及び付与されたキーワードや進捗情報等に基づいて検索することができる。
【００４４】
表示部３０は、ディスプレイに接続し、検索部２８により検索された電子文書のリストをディスプレイに表示する。リストは、検索部２８による検索順位の順に並べたものとしてもよい。
【００４５】
次に、本実施形態に係る電子文書検索装置１０により行われる電子文書が編集される際に行われる電子文書検索のための事前処理と、電子文書の検索処理とのそれぞれの処理の流れを図５及び図６に示すフロー図をそれぞれ参照しながら説明する。
【００４６】
まず図５を参照しつつ、電子文書検索装置１０により行われる電子文書が編集される際に行われる電子文書検索のための事前処理について説明する。電子文書検索装置１０は、商談案件に関する報告書の編集を開始すると（Ｓ１０１）、参照ドキュメントの記録を開始し、報告書の編集が終了するまで（Ｓ１０３：Ｎ）、報告書の編集の間に電子文書検索装置１０によりアクセスされたドキュメント（参照ドキュメント）を逐次記録する（Ｓ１０２）。そして、電子文書検索装置１０は、利用者の情報入力により報告書の編集が終了したと判断すると（Ｓ１０３：Ｙ）、記録されたドキュメントの情報及び編集した電子文書の情報に基づいて、編集文書情報テーブル及び参照文書情報テーブルを生成する（Ｓ１０４）。
【００４７】
次に図６を参照しつつ、電子文書検索装置１０により行われる電子文書の検索処理について説明する。電子文書検索装置１０は、検索条件が指定されると（Ｓ２０１）、その検索条件に基づいて編集文書情報テーブル及び参照文書情報テーブルを検索して、検索条件に合致する電子文書を検索する（Ｓ２０２）。そして、電子文書検索装置１０は、検索された電子文書の情報を検索順位の順に並べてディスプレイに表示する（Ｓ２０３）。
【００４８】
以上説明した本実施形態に係る電子文書検索装置１０によれば、商談案件の報告書（訪問コメント）の編集時に参照したドキュメントの内容に基づいてキーワードを付与しておき検索時にそれらの情報を利用することにより、現在の商談案件に関して有用なドキュメントを既存の商談案件の報告書の中から検索することができる。
【００４９】
また、報告書の編集時に参照されたドキュメントの方にも、報告書から抽出されたキーワードを付与しておき検索時にそれらを利用することにより、現在の商談案件に関して有用なドキュメントを既存の参照ドキュメントの中から検索することができる。
【００５０】
なお、本発明は上記の実施形態に限定されるものではなく、商談の報告書に限らずその他一般の文書においても同様に適用できることはもちろんである。
【図面の簡単な説明】
【００５１】
【図１】本発明の基本的な考え方を説明する図である。
【図２】電子文書検索装置１０の機能ブロック図である。
【図３】編集文書情報テーブルの一例を示す図である。
【図４】参照文書情報テーブルの一例を示す図である。
【図５】電子文書が編集される際に行われる電子文書検索のための事前処理のフロー図である。
【図６】電子文書の検索処理のフロー図である。
【符号の説明】
【００５２】
１０  電子文書検索装置、１２  入力部、１４  電子文書編集部、１６  通信部、１８  参照文書記録部、２０  記憶部、２２  キーワード抽出部、２４  文書情報生成部、２６  キーワード重み更新部、２８  検索部、３０  表示部、４０  ネットワーク、５０  ウェブサーバ、  Ａ  報告書、ａ，ｂ，ｃ  ドキュメント。
【図１】
2009223679.tif 000003
【図２】
2009223679.tif 000004
【図３】
2009223679.tif 000005
【図４】
2009223679.tif 000006
【図５】
2009223679.tif 000007
【図６】
2009223679.tif 000008